(57)【要約】【課題】  スピーカーから再生音が出力されない理由が、セレクタ部がＰＣ部を選択していないことにあることをユーザが認識することができる音声再生システムを提供すること。【解決手段】  ユーザ操作によって、アンプ部の音量レベルが変更、アンプ部のミュート状態が変更、ＰＣ部の音量レベルが変更、又は、音声プログラムの音声設定が変更される場合には、ユーザは、ＰＣ部からの音声が再生されないことに困っていると考えられる。また、ＰＣ部からセレクタ部への音声信号の供給が所定時間以上継続している場合にも、ＰＣ部からの音声が再生されないことに困っていると考えられる。従って、このような条件を満足し、かつ、セレクタ部がＰＣ部を選択していない時には、セレクタ部の選択内容を表示することによって、セレクタ部の選択内容がＰＣ部以外であることがＰＣ部からの音声が再生されない理由であることをユーザに認識させることができる。【選択図】図４
2010244617.tif 000002
【特許請求の範囲】
【請求項１】
ＰＣ部と、コンテンツ再生装置が接続可能な１又は複数の音声入力端子と、前記ＰＣ部から供給される音声信号及び前記音声入力端子から供給される音声信号の中から１つの音声信号を選択しアンプ部に供給するセレクタ部と、前記セレクタ部から供給される音声信号を増幅するアンプ部とを備え、
前記ＰＣ部には、前記セレクタ部に供給する音声信号を生成する音声プログラムと、セレクタ告知プログラムとがインストールされ、
前記セレクタ告知プログラムが、
所定条件を満足し、かつ、前記セレクタ部の選択内容が前記ＰＣ部からの音声信号以外であるか否かを判断するステップと、
所定条件を満足し、かつ、前記セレクタ部の選択内容が前記ＰＣ部からの音声信号以外であると判断された時、前記セレクタ部の選択内容をユーザに告知する告知ステップとを前記ＰＣ部に実行させる、音声再生システム。
【請求項２】
前記告知ステップが、前記セレクタ部の選択内容を表示装置に所定時間表示させる、請求項１に記載の音声再生システム。
【請求項３】
前記所定条件が、前記アンプ部の音量レベルが変更されたこと、前記アンプ部のミュート状態が変更されたこと、前記ＰＣ部の音量レベルが変更されたこと、前記ＰＣ部から前記セレクタ部への音声信号の供給が所定時間以上継続したこと、又は、前記音声プログラムの音声設定が変更されたことである、請求項１または２に記載の音声再生システム。
【請求項４】
前記セレクタ告知プログラムが、
所定条件を満足し、かつ、前記セレクタ部の選択内容が前記ＰＣ部からの音声信号以外であり、かつ、選択されている前記外部入力端子から音声信号が供給されていないか否かを判断するステップと、
所定条件を満足し、かつ、前記セレクタ部の選択内容が前記ＰＣ部からの音声信号以外であり、かつ、選択されている前記外部入力端子から音声信号が供給されていないと判断された時、前記セレクタ部の選択内容をユーザに告知する告知ステップとを前記ＰＣ部に実行させる、請求項１〜３のいずれかに記載の音声再生システム。
【請求項５】
請求項１〜４のいずれかに記載の音声再生システムの前記ＰＣ部にインストールされる前記セレクタ告知プログラムであって、
所定条件を満足し、かつ、前記セレクタ部の選択内容が前記ＰＣ部からの音声信号以外であるか否かを判断するステップと、
所定条件を満足し、かつ、前記セレクタ部の選択内容が前記ＰＣ部からの音声信号以外であると判断された時、前記セレクタ部の選択内容をユーザに告知する告知ステップとを前記ＰＣ部に実行させる、セレクタ告知プログラム。
【発明の詳細な説明】
【技術分野】
【０００１】
本発明は、ＰＣ部、外部入力端子、アンプ部、及び、セレクタ部を備える音声再生システムに関する。
【背景技術】
【０００２】
現在、ＰＣ部、外部入力端子、アンプ部、及び、セレクタ部を備えるオーディオ機能に特化したパーソナルコンピュータ（以下、ＰＣという。）が提供されている。このＰＣにおいて、ＰＣ部に内蔵されたＨＤＤに記録されている曲ファイルを再生する場合に、ユーザ操作に基づいてセレクタ部がＰＣ部を選択する。ＨＤＤから読み出され再生された音声信号は、セレクタ部を介してアンプ部に供給され、アンプ部において増幅され、外部に接続されたスピーカーから音声が出力される。また、セレクタ部がＰＣ部を選択している場合に、ＯＳによって生成される効果音も、セレクタ部を介してアンプ部に供給され、アンプ部において増幅され、外部に接続されたスピーカーから効果音が出力される。
【０００３】
一方、セレクタ部が外部入力端子を選択している場合、外部入力端子に接続されているコンテンツ再生装置（例えばＣＤプレーヤ）から入力される音声信号が、セレクタ部を介してアンプ部に供給され、アンプ部において増幅され、外部に接続されたスピーカーから音声が出力される。この場合、ＰＣ部のＨＤＤに記録されている曲ファイルの再生音やＯＳによって生成される効果音は、セレクタ部を介してアンプ部には供給されないので、スピーカーから音声が出力されない。
【０００４】
ここで、セレクタ部が外部入力端子を選択しており、かつ、選択されている外部入力端子に接続されているコンテンツ再生装置から音声信号がセレクタ部に供給されていない場合には、スピーカーから音声が何も再生されない。その結果、セレクタ部が外部入力端子を選択していることにユーザが気付かず（又は、セレクタ部がＰＣ部を選択していると勘違いし）、ＰＣ部のＨＤＤに記録されている曲ファイルの再生指示を入力した場合に、ユーザの意に反して曲ファイルの再生音がスピーカーから出力されないという問題がある。すなわち、ユーザは、スピーカーから再生音が出力されない理由が、セレクタがＰＣを選択していないことであることに気付かないという問題がある。
【先行技術文献】
【特許文献】
【０００５】
【特許文献１】特開平１０−２００９６９号公報
【発明の概要】
【発明が解決しようとする課題】
【０００６】
本発明は上記従来の課題を解決するためになされたものであり、その目的は、スピーカーから再生音が出力されない理由が、セレクタ部がＰＣ部を選択していないことにあることをユーザが認識することができる音声再生システムを提供することである。
【課題を解決するための手段】
【０００７】
本発明の好ましい実施形態による音声再生システムは、ＰＣ部と、コンテンツ再生装置が接続可能な１又は複数の音声入力端子と、前記ＰＣ部から供給される音声信号及び前記音声入力端子から供給される音声信号の中から１つの音声信号を選択しアンプ部に供給するセレクタ部と、前記セレクタ部から供給される音声信号を増幅するアンプ部とを備え、前記ＰＣ部には、前記セレクタ部に供給する音声信号を生成する音声プログラムと、セレクタ告知プログラムとがインストールされ、前記セレクタ告知プログラムが、所定条件を満足し、かつ、前記セレクタ部の選択内容が前記ＰＣ部からの音声信号以外であるか否かを判断するステップと、所定条件を満足し、かつ、前記セレクタ部の選択内容が前記ＰＣ部からの音声信号以外であると判断された時、前記セレクタ部の選択内容をユーザに告知する告知ステップとを前記ＰＣ部に実行させる。
【０００８】
所定条件を満足し、かつ、セレクタ部の選択内容がＰＣ部からの音声信号以外（すなわち外部入力端子）であると判断された時、ＰＣ部は、セレクタ部の選択内容をユーザに告知する。従って、ユーザが、セレクタ部の選択内容がＰＣ部でないことを認識せずに、ＰＣ部からの音声が再生されないことに困っている場合に、ユーザはセレクタ部の選択内容の告知によって、セレクタ部の選択内容がＰＣ部以外であることがＰＣ部からの音声が再生されない理由であることを認識することができる。
【０００９】
好ましい実施形態においては、前記告知ステップが、前記セレクタ部の選択内容を表示装置に所定時間表示させる。
【００１０】
所定条件を満足し、かつ、セレクタ部の選択内容がＰＣ部からの音声信号以外（すなわち外部入力端子）であると判断された時、ＰＣ部は、セレクタ部の選択内容を表示装置に表示させる。従って、ユーザが、セレクタ部の選択内容がＰＣ部でないことを認識せずに、ＰＣ部からの音声が再生されないことに困っている場合に、ユーザはセレクタ部の選択内容が表示されることによって、セレクタ部の選択内容がＰＣ部以外であることがＰＣ部からの音声が再生されない理由であることを認識することができる。
【００１１】
好ましい実施形態においては、前記所定条件が、前記アンプ部の音量レベルが変更されたこと、前記アンプ部のミュート状態が変更されたこと、前記ＰＣ部の音量レベルが変更されたこと、前記ＰＣ部から前記セレクタ部への音声信号の供給が所定時間以上継続したこと、又は、前記音声プログラムの音声設定が変更されたことである。
【００１２】
セレクタ部がＰＣ部を選択しておらず、かつ、ユーザ操作によって、アンプ部の音量レベルが変更される、アンプ部のミュート状態が変更される、ＰＣ部の音量レベルが変更される、又は、音声プログラムの音声設定が変更される場合には、ユーザは、ＰＣ部からの音声が出力されないことに困っていると考えられる。また、セレクタ部がＰＣ部を選択しておらず、かつ、ＰＣ部からセレクタ部への音声信号の供給が所定時間以上継続している場合にも、ＰＣ部からの音声が出力されないことに困っていると考えられる。従って、セレクタ部の選択内容を告知することによって、セレクタ部の選択内容がＰＣ部以外であることがＰＣ部からの音声が出力されない理由であることをユーザに認識させることができる。
【００１３】
好ましい実施形態においては、前記セレクタ告知プログラムが、所定条件を満足し、かつ、前記セレクタ部の選択内容が前記ＰＣ部からの音声信号以外であり、かつ、選択されている前記外部入力端子から音声信号が供給されていないか否かを判断するステップと、所定条件を満足し、かつ、前記セレクタ部の選択内容が前記ＰＣ部からの音声信号以外であり、かつ、選択されている前記外部入力端子から音声信号が供給されていないと判断された時、前記セレクタ部の選択内容をユーザに告知する告知ステップとを前記ＰＣ部に実行させる。
【発明の効果】
【００１４】
以上のように、再生音が出力されない理由が、セレクタ部がＰＣ部を選択していないことにあることをユーザが認識することができる。
【図面の簡単な説明】
【００１５】
【図１】本発明の好ましい実施形態による音声再生システムを示すブロック図である。
【図２】セレクタ部が選択可能な選択内容の一覧を示す図である。
【図３】セレクタ部の選択内容の表示画面を示す図である。
【図４】セレクタ表示プログラムに基づくＣＰＵ６の動作を示すフローチャートである。
【発明を実施するための形態】
【００１６】
以下、本発明の好ましい実施形態について、図面を参照して具体的に説明するが、本発明はこれらの実施形態には限定されない。図１は、本発明の好ましい実施形態による音声再生システム１００を示すブロック図である。音声再生システム１００は、オーディオ機能を特化したパーソナルコンピュータ（以下、ＰＣという。）であり、ＰＣ部１と、マイコン２と、セレクタ部３と、アンプ部４と、１又は複数の外部入力端子５（本例では５Ａ〜５Ｃ）とを備える。
【００１７】
ＰＣ部１は、ＣＰＵ６と、ＲＯＭ７と、ＲＡＭ８と、ＤＶＤドライブ９と、ＨＤＤ１０と、音声再生部（サウンドデバイス）１１と、表示部１２と、操作部１３とを備え、これらはバスを介して相互に接続されている。なお、表示部１２は液晶ディスプレイ等であり、ＰＣ部１にＵＳＢを介して外部接続されるものでもよい。操作部１３は、キーボードやマウス等であり、ＰＣ部１にＵＳＢを介して外部接続されるものでもよい。
【００１８】
ＨＤＤ１０には、ＯＳ（オペレーティングシステム）、音声再生アプリケーション（以下、音声再生アプリという。）およびセレクタ表示プログラム等がインストールされている。ＯＳおよび音声再生アプリを、総称して音声プログラムと定義する。ＣＰＵ６は、これらのプログラムをＲＡＭ８に展開して実行することにより、ＰＣ部１としての各処理を実行する。また、ＨＤＤ１０には、複数のコンテンツが記録されている。コンテンツには、映像ファイルや曲ファイル（音声ファイル）等が含まれるが、本例の場合には曲ファイルである。
【００１９】
音声再生アプリは、ＨＤＤ１０に記録されている曲ファイルを再生（例えば圧縮曲ファイルをデコード）し、その音声データを音声再生部１１に供給する。また、音声再生アプリは、ＤＶＤドライブ９を制御し、ＤＶＤドライブ９に挿入されているＤＶＤやＣＤに記録されている曲ファイルや曲データを再生し、その音声データを音声再生部１１に供給する。音声再生アプリは、ＨＤＤ１０に記録されている曲ファイル、又は、ＤＶＤドライブ９に挿入されているＤＶＤやＣＤに記録されている曲ファイルを再生する際の音量レベルをユーザ操作に基づいて、設定（変更）する。
【００２０】
ＯＳは、ユーザによるＰＣ部１の操作に応じて、所定の効果音を生成し、効果音の音声データを音声再生部１１に供給する。ＯＳが生成する効果音は、例えば、ＯＳの起動又はシャットダウン時の音や、ユーザの誤った操作時にエラーをユーザに告知するための音などである。音声再生アプリと同様に、ＯＳもユーザ操作に基づいて音量レベルを設定（変更）する。
【００２１】
音声再生部１１は、音声再生アプリ及び／又はＯＳから供給される音声データに対して所定の音声処理（例えばデジタルアナログ変換等）を実行し、セレクタ部３に音声信号を供給する。ここで、音声再生アプリ又はＯＳによって生成され音声再生部１１を介してセレクタ部３に供給される音声信号を、ＰＣ部１からの音声信号と定義する。また、音声再生アプリ又はＯＳによる音量レベル設定を、ＰＣ部１による音量レベル設定と定義する。
【００２２】
マイコン２は、図示しないメモリに格納されたプログラムを実行することにより、セレクタ部３やアンプ部４を制御する。マイコン２は、ＣＰＵ６と所定の通信ライン（例えばＵＳＢ）を介して接続されており、ＣＰＵ６との間でコマンドを送受信する。
【００２３】
外部入力端子５（５Ａ〜５Ｃ）には、コンテンツ再生装置が接続可能であり、コンテンツ再生装置から音声信号が入力される。外部入力端子５に入力される音声信号は、セレクタ部３に供給される。外部入力端子５がデジタル入力端子である場合には、セレクタ部３の前段にＤＡ変換器が設けられる。本例では、外部入力端子５ＡにＣＤプレーヤ１０１が接続され、外部入力端子５Ｂに携帯型プレーヤ１０２が接続されている。
【００２４】
セレクタ部３は、マイコン２からの指示に基づいて、ＰＣ部１からの音声信号、及び、各外部入力端子５から入力される音声信号の中から、１つの音声信号を選択し、アンプ部４に供給する。表示部１２に、図２に示すセレクタ部３の選択内容の一覧が表示され、ユーザ操作によってセレクタ部３の選択内容が操作部１３を介して入力される。例えば、図２の一覧からＰＣ部が選択されると、ＣＰＵ６は、セレクタ部３にＰＣ部を選択させる指示を、マイコン２に送信する。マイコン２は、ＣＰＵ６からの指示に基づいて、セレクタ部３にＰＣ部を選択させる。従って、ＰＣ部１からの音声信号がセレクタ部３を介してアンプ部４に供給される。同様に、図２の一覧から外部入力端子５Ａが選択されると、ＣＰＵ６は、セレクタ部３に外部入力端子５Ａを選択させる指示を、マイコン２に送信する。マイコン２は、ＣＰＵ６からの指示に基づいて、セレクタ部３に外部入力端子５Ａを選択させる。従って、外部入力端子５Ａからの音声信号がセレクタ部３を介してアンプ部４に供給される。
【００２５】
アンプ部４は、セレクタ部３から供給された音声信号を増幅して、外部に接続されたスピーカー１０３に供給し、スピーカー１０３から音声を出力させる。アンプ部４には、音量調整部４Ａが設けられている。音量調整部４Ａは、マイコン２からの指示に基づいて、セレクタ部３からの音声信号の音量レベルを調整する、又は、ミュート状態を変更する（ミュート状態／ミュート解除状態に設定する）。例えば、マイコン２は、ユーザ操作によって図示しないボリュームつまみ又はリモコンが操作されることにより、音量調整部４における音量レベルを特定し、特定した音量レベルに音量調整部４を制御する。この時、マイコン２は、音量レベルが変更されたこと、及び、変更後の音量レベルをＣＰＵ６に通知する。同様に、マイコン２は、ユーザ操作によってミュート状態を変更する指示が入力されることにより、音量調整部４のミュート状態を変更する。この時、マイコン２は、ミュート状態が変更されたこと、及び、変更後のミュート状態をＣＰＵ６に通知する。または、ＣＰＵ６が、ＨＤＤ１０にインストールされているアンプ部４を制御するためのアプリケーションプログラムに基づいて、音量調整部４Ａの音量レベルを変更、又は、ミュート状態を変更してもよい。
【００２６】
セレクタ部３がＰＣ部１以外（すなわち外部入力端子５）を選択している場合、ＰＣ部１からの音声信号はスピーカーから出力されない。従って、ユーザがセレクタ部３の選択内容に気付かずに、ＰＣ部１からの音声が再生されない理由が音声再生アプリやＯＳの音量レベル設定であると勘違いし、音声再生アプリやＯＳの音量レベルを変更しても、スピーカーからは音声が出力されない。そこで、ＣＰＵ６は、セレクタ表示プログラムを実行することにより、所定条件を満足し、かつ、セレクタ部３の選択内容がＰＣ部１以外である時に、図３に示すように、セレクタ部３の選択内容を表示部１２に所定時間（例えば５秒間）表示させることにより、ユーザにセレクタ部３の選択内容を告知する。所定の条件を満足するとは、詳細は後述するが、上記状態においてユーザがスピーカーから、ＰＣ部１からの再生音が出力されることを期待する操作を実行すること等である。
【００２７】
例えば、セレクタ部３が外部入力端子５Ａを選択し、ＣＤプレーヤ１０１から音声信号が入力されていない時、スピーカー１０３から音声が出力されない。このとき、ユーザ操作によって、音声再生アプリが曲ファイルを再生しても、スピーカーから音声が出力されず、ユーザ操作によってアンプ部４又はＰＣ部１の音量レベルが変更されてもスピーカーから音声が出力されない。この際に、図３に示すように、セレクタ部３が外部入力端子５Ａを選択していることが表示部１２に表示される。ユーザは、セレクタ部３が外部入力端子５Ａを選択していることを認識し、セレクタ部３にＰＣ部１を選択させることによって、ＰＣ部１からの音声信号がスピーカー１０３に出力されるようになる。
【００２８】
以上の構成を有する音声再生システムについて、その動作を説明する。図４は、ＣＰＵ６によるセレクタ表示処理を示すフローチャートである。ＣＰＵ６は、セレクタ表示プログラムに基づいて以下の処理を実行する。ＣＰＵ６は、セレクタ部３の選択が変更されたか否かを判断する（Ｓ１）。変更された場合（Ｓ１でＹＥＳ）、ＣＰＵ６は、セレクタ部３の変更後の選択内容を表示部１２に５秒間表示させる（Ｓ８）。
【００２９】
セレクタ部３の選択内容が変更されない場合（Ｓ１でＮＯ）、ＣＰＵ６は、アンプ部４の音量調整部４Ａの音量レベルが変更されたか否かを判断する（Ｓ２）。アンプ部４の音量調整部４Ａの音量レベルが変更された場合（Ｓ２でＹＥＳ）、ＣＰＵ６は、セレクタ部３の選択内容がＰＣ部１以外（すなわち外部入力端子５）であるか否かを判断する（Ｓ７）。セレクタ部３の選択内容がＰＣ部１以外である場合（Ｓ７でＹＥＳ）、ＣＰＵ６は、セレクタ部３の選択内容を表示部１２に５秒間表示させる（Ｓ８）。従って、セレクタ部３の選択内容がＰＣ部１以外、かつ、アンプ部４の音量レベルを変更した場合には、ユーザがセレクタ部３の選択内容がＰＣ部１でないことに気付かずに音声が出力されないのがアンプ部４の音量レベルが小さいからだと誤解し、音量レベルを変更している可能性があるので、セレクタ部３の選択内容をユーザに気付かせる。一方、セレクタ部３の選択内容がＰＣ部１である場合（Ｓ７でＮＯ）、セレクタ部３の選択内容をユーザに気付かせる必要がないので、処理を終了する。
【００３０】
次に、アンプ部４の音量調整部４Ａの音量レベルが変更されていない場合（Ｓ２でＮＯ）、ＣＰＵ６は、アンプ部４の音量調整部４Ａのミュート状態が（ミュート状態又はミュート解除状態に）変更されたか否かを判断する（Ｓ３）。アンプ部４の音量調整部４Ａのミュート状態が変更された場合（Ｓ３でＹＥＳ）、ＣＰＵ６は、セレクタ部３の選択内容がＰＣ部１以外（すなわち外部入力端子５）であるか否かを判断する（Ｓ７）。セレクタ部３の選択内容がＰＣ部１以外である場合（Ｓ７でＹＥＳ）、ＣＰＵ６は、セレクタ部３の選択内容を表示部１２に５秒間表示させる（Ｓ８）。従って、セレクタ部３の選択内容がＰＣ部１以外、かつ、アンプ部４のミュート状態を変更した場合には、ユーザがセレクタ部３の選択内容がＰＣ部１でないことに気付かずに音声が出力されないのがアンプ部４のミュート状態が問題であると誤解し、ミュート状態を変更した可能性があるので、セレクタ部３の選択内容をユーザに気付かせる。一方、セレクタ部３の選択内容がＰＣ部１である場合（Ｓ７でＮＯ）、セレクタ部３の選択内容をユーザに気付かせる必要がないので、処理を終了する。
【００３１】
次に、アンプ部４の音量調整部４Ａのミュート状態が変更されていない場合（Ｓ３でＮＯ）、ＣＰＵ６は、ＰＣ部１（すなわち、音声アプリ又はＯＳ）の音量レベルが変更されたか否かを判断する（Ｓ４）。ＰＣ部１の音量レベルが変更された場合（Ｓ４でＹＥＳ）、ＣＰＵ６は、セレクタ部３の選択内容がＰＣ部１以外（すなわち外部入力端子５）であるか否かを判断する（Ｓ７）。セレクタ部３の選択内容がＰＣ部１以外である場合（Ｓ７でＹＥＳ）、ＣＰＵ６は、セレクタ部３の選択内容を表示部１２に５秒間表示させる（Ｓ８）。従って、セレクタ部３の選択内容がＰＣ部１以外、かつ、ＰＣ部１の音量レベルが変更された場合には、ユーザがセレクタ部３の選択内容がＰＣ部１でないことに気付かずに音声が出力されないのがＰＣ部１の音量レベルが小さいことが問題であると誤解し、ＰＣ部１の音量レベルを変更している可能性があるので、セレクタ部３の選択内容をユーザに気付かせる。一方、セレクタ部３の選択内容がＰＣ部１である場合（Ｓ７でＮＯ）、セレクタ部３の選択内容をユーザに気付かせる必要がないので、処理を終了する。
【００３２】
ＰＣ部１の音量レベルが変更されていない場合（Ｓ４でＮＯ）、ＣＰＵ６は、ＰＣ部１（つまり、音声再生アプリ又はＯＳ）からの音声信号がセレクタ部３に所定時間（例えば３秒）以上継続して供給され続けているか否かを判断する（Ｓ５）。ＰＣ部１からの音声信号がセレクタ部３に所定時間以上継続して供給され続けている場合（Ｓ５でＹＥＳ）、ＣＰＵ６は、セレクタ部３の選択内容がＰＣ部１以外（すなわち外部入力端子５）であるか否かを判断する（Ｓ７）。セレクタ部３の選択内容がＰＣ部１以外である場合（Ｓ７でＹＥＳ）、ＣＰＵ６は、セレクタ部３の選択内容を表示部１２に５秒間表示させる（Ｓ８）。従って、セレクタ部３の選択内容がＰＣ部１以外、かつ、ＰＣ部１からの音声信号がセレクタ部３に所定時間以上継続して供給され続けている場合には、ユーザがセレクタ部３の選択内容がＰＣ部１でないことに気付かずに音声再生アプリに曲ファイルを再生させており、音声が出力されていない可能性があるので、セレクタ部３の選択内容をユーザに気付かせる。一方、セレクタ部３の選択内容がＰＣ部１である場合（Ｓ７でＮＯ）、セレクタ部３の選択内容をユーザに気付かせる必要がないので、処理を終了する。
【００３３】
ＰＣ部１からの音声信号がセレクタ部３に所定時間以上継続して供給され続けていない場合（Ｓ５でＮＯ）、ＣＰＵ６は、音声再生アプリの音声設定がユーザ操作によって変更されたか否かを判断する（Ｓ６）。例えば、音声再生アプリの音声設定は、Ｓ／ＰＩＤＦや２ｃｈダウンミックスの切り換え等である。音声再生アプリの音声設定がユーザ操作によって変更された場合（Ｓ６でＹＥＳ）、ＣＰＵ６は、セレクタ部３の選択内容がＰＣ部１以外（すなわち外部入力端子５）であるか否かを判断する（Ｓ７）。セレクタ部３の選択内容がＰＣ部１以外である場合（Ｓ７でＹＥＳ）、ＣＰＵ６は、セレクタ部３の選択内容を表示部１２に５秒間表示させる（Ｓ８）。従って、セレクタ部３の選択内容がＰＣ部１以外、かつ、音声再生アプリの音声設定がユーザ操作によって変更された場合には、ユーザがセレクタ部３の選択内容がＰＣ部１でないことに気付かずに音声が出力されないのが音声再生アプリの音声設定に問題があると誤解し、音声再生アプリの音声設定を変更している可能性があるので、セレクタ部３の選択内容をユーザに気付かせる。一方、セレクタ部３の選択内容がＰＣ部１である場合（Ｓ７でＮＯ）、セレクタ部３の選択内容をユーザに気付かせる必要がないので、処理を終了する。
【００３４】
以上のように、本実施形態によると、ユーザは、セレクタ部３の選択内容がＰＣ部１以外であることを認識することができ、セレクタ部３の選択内容をＰＣ部１に変更することができる。
【００３５】
なお、所定条件を満足し、かつ、セレクタ部３の選択内容がＰＣ部１以外である場合（Ｓ７でＹＥＳ）、セレクタ部３の選択内容を表示する代わりに、セレクタ部３の選択内容を自動的にＰＣ部１に変更してもよい。また、セレクタ部３の選択内容を表示する代わりに、音声でセレクタ部３の選択内容を告知してもよい。また、所定条件を満足し、かつ、セレクタ部３の選択内容がＰＣ部１以外である場合（Ｓ７でＹＥＳ）、さらに、ＣＰＵ６は、セレクタ部３によって選択されている外部入力端子５に音声信号が入力されているか否かを判断し、入力されていない場合にセレクタ部３の選択内容を表示し（Ｓ８）、入力されている場合にはセレクタ部３の選択内容を表示しないようにしてもよい。セレクタ部３によって選択されている外部入力端子５に音声信号が入力されている場合には、スピーカーから音声が出力されているので、セレクタ部３の選択内容にユーザが気付くことができるからである。
【００３６】
以上、本発明の好ましい実施形態を説明したが、本発明はこれらの実施形態には限定されない。
【産業上の利用可能性】
【００３７】
本発明はＰＣやＰＣアプリケーション等に好適に適用され得る。
【符号の説明】
【００３８】
１００      音声再生システム
１          ＰＣ部
２          マイコン
３          セレクタ部
４          アンプ部
４Ａ        音量調整部
５          外部入力端子
６          ＣＰＵ
７          ＲＯＭ
８          ＲＡＭ
９          ＤＶＤドライブ
１０        ＨＤＤ
１１        音声再生部
１２        表示部
１３        操作部
【図１】
2010244617.tif 000003
【図２】
2010244617.tif 000004
【図３】
2010244617.tif 000005
【図４】
2010244617.tif 000006